(57)【要約】    １〜１０重量％の酸化マルトデキストリンと、１０〜６０重量％のアミノ酸ベースのビルダーと、炭酸塩ビルダー、クエン酸塩ビルダー、ケイ酸塩ビルダー、アミノ酸由来のビルダーおよびそれらの混合物からなる群から選択される１〜８７．７重量％の追加のビルダーと、漂白活性剤と、界面活性剤と、０．１〜７重量％のホスホン酸塩と、酵素と、０〜７５重量％の充填剤と、１重量％未満の水とを含む無水混合粉末または混合顆粒が提供される。自動食器洗浄装置でガラス製品を洗浄する方法。  【選択図】なし【特許請求の範囲】
【請求項１】
無水混合粉末または混合顆粒であって、
１〜１０重量％の酸化マルトデキストリンと、
１０〜６０重量％のアミノ酸ベースのビルダーと、
炭酸塩ビルダー、クエン酸塩ビルダー、ケイ酸塩ビルダー、アミノ酸由来のビルダーおよびそれらの混合物からなる群から選択される１〜８７．７重量％の追加のビルダーと、
漂白活性剤と、
界面活性剤と、
０．１〜７重量％のホスホン酸塩と、
酵素と、
０〜７５重量％の充填剤と、
１重量％未満の水と、を含む、無水混合粉末または混合顆粒。
【請求項２】
前記酸化マルトデキストリンが０．４〜１．７の酸化度（ＤＯ）を有する、請求項１に記載の無水混合粉末または混合顆粒。
【請求項３】
前記酸化マルトデキストリンが２，５００〜６，０００ダルトンの重量平均分子量を有する、請求項２に記載の無水混合粉末または混合顆粒。
【請求項４】
前記酸化マルトデキストリン中のＣ６炭素の少なくとも６０ｍｏｌ％がカルボキシル基に酸化されている、請求項３に記載の無水混合粉末または混合顆粒。
【請求項５】
前記酸化マルトデキストリン中のＣ２およびＣ３炭素の３０ｍｏｌ％未満がカルボキシル基に酸化されている、請求項４に記載の無水混合粉末または混合顆粒。
【請求項６】
前記酸化マルトデキストリンが０．０００１重量％以上の２，２，６，６−テトラメチルピペリジニルオキシまたは２，２，６，６−テトラメチルピペリジン−１−オキシルのうちの少なくとも１つを含む、請求項５に記載の無水混合粉末または混合顆粒。
【請求項７】
添加剤をさらに含み、前記添加剤が、
アルカリ源、
漂白剤、
漂白触媒、
発泡抑制剤、
着色剤、
芳香剤、
ケイ酸塩、
追加のビルダー、
抗菌剤、
充填剤、および
堆積物制御ポリマーのうちの少なくとも１つからなる群から選択される、請求項６に記載の無水混合粉末または混合顆粒。
【請求項８】
１〜２５重量％の充填剤をさらに含む、請求項６に記載の無水混合粉末または混合顆粒。
【請求項９】
前記充填剤が硫酸ナトリウムを含む、請求項８に記載の無水混合粉末または混合顆粒。
【請求項１０】
ガラス製品を洗浄する方法であって、
自動食器洗浄装置を提供することと、
汚れたガラス製品を提供することと、
前記汚れたガラス製品を前記自動食器洗浄装置に入れることと、
洗浄水を提供することと、
すすぎ水を提供することと、
請求項１に記載の無水混合粉末または混合顆粒を選択することと、
前記選択された無水混合粉末または混合顆粒を前記自動食器洗浄装置に入れることと、
前記選択された無水混合粉末または混合顆粒を前記洗浄水と接触させて、混合物を形成することと、
前記汚れたガラス製品を前記混合物と接触させて、処理されたガラス製品を提供することと、
次いで、前記処理されたガラス製品を前記すすぎ水と接触させて、洗浄されたガラス製品を提供することと、を含む、方法。
【発明の詳細な説明】
【技術分野】
【０００１】
本発明は、自動食器洗浄に使用するための無水混合粉末または混合顆粒に関する。特に、本発明は、１〜１０重量％の酸化マルトデキストリンと、１０〜６０重量％のアミノ酸ベースのビルダーと、炭酸塩ビルダー、クエン酸塩ビルダー、ケイ酸塩ビルダーおよびそれらの混合物からなる群から選択される１〜８７．７重量％の追加のビルダーと、漂白活性剤と、界面活性剤と、０．１〜７重量％のホスホン酸塩と、酵素と、０〜７５重量％の充填剤と、１重量％未満の水とを含む、自動食器洗浄用無水混合顆粒配合物に関する。
【０００２】
自動食器洗浄用組成物は概して、布洗浄または水処理に使用されるものとは異なる洗剤組成物の種類として認識されている。洗浄サイクルの完了後、自動食器洗浄用組成物が、洗浄された物にしみおよび膜がない外観をもたらすことを、使用者は期待している。
【０００３】
リン酸塩を含まない、生分解性の自動食器洗浄用組成物がますます望まれている。リン酸塩を含まない自動食器洗浄用組成物は、一般に、非リン酸ビルダー、例えば、クエン酸塩、炭酸塩、ケイ酸塩、二ケイ酸塩、重炭酸塩、アミノカルボン酸塩、およびその他の塩に依存しており、硬水からカルシウムおよびマグネシウムを分離し、乾燥すると不溶性の目に見える堆積膜を残す。
【０００４】
したがって、ガラス製品での使用において許容できる膜形成性能を提供し、生分解性も向上させ、ホスホン酸塩含有組成物でリン酸塩を含まない適用に適している無水混合粉末組成物または混合顆粒組成物が依然として必要とされている。
【０００５】
本発明は、１〜１０重量％の酸化マルトデキストリンと、１０〜６０重量％のアミノ酸ベースのビルダーと、炭酸塩ビルダー、クエン酸塩ビルダー、ケイ酸塩ビルダー、アミノ酸由来ビルダーおよびそれらの混合物からなる群から選択される１〜８７．７重量％の追加のビルダーと、漂白活性剤と、界面活性剤と、０．１〜７重量％のホスホン酸塩と、酵素と、１重量％未満の水とを含む無水混合粉末または混合顆粒を提供する。
【０００６】
本発明は、１〜１０重量％の酸化マルトデキストリンと、１０〜６０重量％のアミノ酸ベースのビルダーと、炭酸塩ビルダー、クエン酸塩ビルダー、ケイ酸塩ビルダー、アミノ酸由来ビルダーおよびそれらの混合物からなる群から選択される１〜８７．７重量％の追加のビルダーと、漂白活性剤と、界面活性剤と、０．１〜７重量％のホスホン酸塩と、酵素と、１重量％未満の水とを含み、酸化マルトデキストリンが０．４〜１．７の酸化度（ＤＯ）を有する無水混合粉末または混合顆粒を提供する。
【０００７】
本発明は、自動食器洗浄装置を提供することと、汚れたガラス製品を提供することと、汚れたガラス製品を自動食器洗浄装置に入れることと、洗浄水を提供することと、すすぎ水を提供することと、本発明による無水混合粉末または混合顆粒を選択することと、選択された無水混合粉末または混合顆粒を自動食器洗浄装置に入れることと、選択された無水混合粉末または混合顆粒を洗浄水と接触させて、混合物を形成することと、汚れたガラス製品を混合物と接触させて、処理されたガラス製品を提供することと、次いで、処理されたガラス製品をすすぎ水と接触させて、洗浄されたガラス製品を提供することと、を含む、ガラス製品を洗浄する方法を提供する。
【発明を実施するための形態】
【０００８】
自動食器洗浄用組成物（特に、リン酸塩を含まない自動食器洗浄用組成物）に取り込まれると、本明細書に特に記載される本発明の無水混合粉末または混合顆粒は、驚くべきことに、望ましい生分解性も提供しながら、ガラス上に望ましい膜形成防止性能をもたらす。
【０００９】
特に指示がない限り、比率、百分率、部などは、重量によるものである。組成物中の重量百分率（または重量％）は、乾燥重量の百分率、すなわち、組成物中に存在し得るあらゆる水を除外した百分率である。ポリマー中のモノマー単位の百分率は、固形重量の百分率、すなわち、ポリマーエマルジョン中に存在するあらゆる水を除外した百分率である。
【００１０】
本明細書で使用する場合、特に指示がない限り、用語「重量平均分子量」および「Ｍｗ」とは、互換的に使用されて、ゲル浸透クロマトグラフィー（ＧＰＣ）およびポリエチレングリコール標準物などの従来の標準物を用いた従来の方式で測定された重量平均分子量を指す。ＧＰＣ技術は、Ｍｏｄｅｍ  Ｓｉｚｅ  Ｅｘｃｌｕｓｉｏｎ  Ｃｈｒｏｍａｔｏｇｒａｐｈｙ，Ｗ．Ｗ．Ｙａｕ，Ｊ．Ｊ．Ｋｉｒｋｌａｎｄ，Ｄ．Ｄ．Ｂｌｙ；Ｗｉｌｅｙ−Ｉｎｔｅｒｓｃｉｅｎｃｅ，１９７９、およびＡ  Ｇｕｉｄｅ  ｔｏ  Ｍａｔｅｒｉａｌｓ  Ｃｈａｒａｃｔｅｒｉｚａｔｉｏｎ  ａｎｄ  Ｃｈｅｍｉｃａｌ  Ａｎａｌｙｓｉｓ，Ｊ．Ｐ．Ｓｉｂｉｌｉａ；ＶＣＨ，１９８８，ｐ．８１−８４で詳細に述べられている。重量平均分子量は、本明細書においてダルトンの単位で報告される。
【００１１】
本明細書および添付の特許請求の範囲で用いられる用語「リン酸塩を含まない」とは、≦１重量％（好ましくは≦０．５重量％、より好ましくは≦０．２重量％、さらに好ましくは≦０．１重量％、特にさらにより好ましくは≦０．０１重量％、最も好ましくは検出限界値未満）のリン酸塩（リン元素として測定される）を含有する組成物を意味する。
【００１２】
マルトデキストリンは次の構造を有する。
【化１】
2021526166.tif 000002
式中、ｎは平均２〜２０である。構造には、標準の炭素位置番号１〜６が示されている。酸化マルトデキストリンは、いくつかのＣ２炭素、Ｃ３炭素、Ｃ６炭素が酸化されてカルボキシル基が形成されるように修飾されたマルトデキストリンである。
【００１３】
好ましくは、無水混合粉末または混合顆粒（好ましくは無水混合顆粒、より好ましくは無水混合顆粒の自動食器洗浄用配合物）は、１〜１０重量％（好ましくは２〜７．５重量％、より好ましくは２．５〜５重量％、最も好ましくは３〜４重量％）の酸化マルトデキストリンと、１０〜６０重量％（好ましくは１０〜５０重量％、より好ましくは１０〜２５重量％、最も好ましくは１０〜１５重量％）のアミノ酸ベースのビルダー（好ましくはメチルグリシン二酢酸（ＭＧＤＡ））と、炭酸ビルダー、クエン酸塩ビルダー、ケイ酸塩ビルダー、アミノ酸由来ビルダーおよびそれらの混合物からなる群から選択される１〜８７．７重量％（好ましくは≧１重量％、より好ましくは≧１０重量％、さらにより好ましくは≧２０重量％、最も好ましくは≧２５重量％、好ましくは≦８５重量％、より好ましくは≦８０重量％、さらにより好ましくは≦７５重量％、最も好ましくは≦７０重量％）の追加のビルダー（好ましくは炭酸塩およびクエン酸塩（すなわち、クエン酸ナトリウム、炭酸ナトリウム、過炭酸ナトリウム、より好ましくは、２０重量％のクエン酸ナトリウム、３０重量％の炭酸ナトリウム、１５重量％の過炭酸ナトリウムのうちの少なくとも１つの混合物）と、漂白活性剤（好ましくはＴＡＥＤ）（好ましくは１〜１０重量％と、より好ましくは２．５〜７．５重量％）の漂白活性剤）と、界面活性剤（好ましくは非イオン性界面活性剤、より好ましくはＤｏｗｆａｘ（商標）２０Ｂ１０２界面活性剤）（好ましくは０．２〜１５重量％、より好ましくは０．５〜１０重量％、より好ましくは１．５〜７．５重量％）の界面活性剤）と、０．１〜７重量％（好ましくは０．２５〜５重量％、より好ましくは０．４５〜２．５重量％、最も好ましくは０．５〜１．０重量％）のホスホン酸塩（好ましくは、ＨＥＤＰ）と、酵素と、０〜７５重量％（好ましくは１〜２５重量％、より好ましくは５〜１５重量％、さらにより好ましくは７．５〜１２重量％、最も好ましくは８〜１０重量％）の充填剤と、１重量％未満の水とを含む。
【００１４】
好ましくは、本発明の無水混合粉末または混合顆粒は、酸化マルトデキストリンを含む。好ましくは、本発明の無水混合粉末または混合顆粒は、酸化マルトデキストリンを含み、酸化マルトデキストリンは、定量１３Ｃ  ＮＭＲを使用して測定した０．４〜１．７（好ましくは０．４５〜１．５）の酸化度（ＤＯ）を有し、酸化度（ＤＯ）は、カルボキシル基に酸化されたＣ６、Ｃ３およびＣ２位での酸化マルトデキストリン中のヒドロキシル基の平均数である。好ましくは、本発明の無水混合粉末または混合顆粒は、酸化マルトデキストリンを含み、酸化マルトデキストリンは、２，５００〜６，０００ダルトンの重量平均分子量を有する。好ましくは、本発明の無水混合粉末または混合顆粒は、酸化マルトデキストリンを含み、酸化マルトデキストリン中のＣ６炭素の少なくとも６０ｍｏｌ％がカルボキシル基に酸化されている。好ましくは、本発明の無水混合粉末または混合顆粒は、酸化マルトデキストリンを含み、酸化マルトデキストリン中のＣ２およびＣ３炭素の３０ｍｏｌ％未満がカルボキシル基に酸化されている。好ましくは、本発明の無水混合粉末または混合顆粒は、酸化マルトデキストリンを含み、酸化マルトデキストリンは、０．０００１重量％以上（好ましくは０．０００１〜０．００１重量％）の２，２，６，６−テトラメチルピペリジニルオキシまたは２，２，６，６−テトラメチルピペリジン−１−オキシル）のうちの少なくとも１つを含む。より好ましくは、本発明の無水混合粉末または混合顆粒は、酸化マルトデキストリンを含み、酸化マルトデキストリンは、定量１３Ｃ  ＮＭＲを使用して測定した０．４〜１．７（好ましくは、０．４５〜１．５）の酸化度（ＤＯ）を有し、酸化度（ＤＯ）は、カルボキシル基に酸化されたＣ６、Ｃ３およびＣ２位での酸化マルトデキストリン中のヒドロキシル基の平均数である。さらにより好ましくは、本発明の無水混合粉末または混合顆粒は、酸化マルトデキストリンを含み、酸化マルトデキストリンは、定量１３Ｃ  ＮＭＲを使用して測定した０．４〜１．７（好ましくは０．４５〜１．５）の酸化度（ＤＯ）を有し、酸化度（ＤＯ）は、カルボキシル基に酸化されたＣ６、Ｃ３、およびＣ２位での酸化マルトデキストリンのヒドロキシル基の平均数であり、酸化マルトデキストリンは、２，５００〜６，０００ダルトンの重量平均分子量を有する。さらにより好ましくは、本発明の無水混合粉末または混合顆粒は、酸化マルトデキストリンを含み、酸化マルトデキストリンは、定量１３Ｃ  ＮＭＲを使用して測定した０．４〜１．７（好ましくは０．４５〜１．５）の酸化度（ＤＯ）を有し、酸化度（ＤＯ）は、カルボキシル基に酸化されたＣ６、Ｃ３およびＣ２位での酸化マルトデキストリン中のヒドロキシル基の平均数であり、酸化マルトデキストリンは、２，５００〜６，０００ダルトンの重量平均分子量を有し、酸化マルトデキストリン中のＣ６炭素の少なくとも６０ｍｏｌ％がカルボキシル基に酸化されている。さらにより好ましくは、本発明の無水混合粉末または混合顆粒は、酸化マルトデキストリンを含み、酸化マルトデキストリンは、定量１３Ｃ  ＮＭＲを使用して測定した、０．４〜１．７（好ましくは０．４５〜１．５）の酸化度（��Ｏ）を有し、酸化度（ＤＯ）は、カルボキシル基に酸化されたＣ６、Ｃ３およびＣ２位での酸化マルトデキストリン中のヒドロキシル基の平均数であり、酸化マルトデキストリンは、２，５００〜６，０００ダルトンの重量平均分子量を有し、酸化マルトデキストリン中のＣ６炭素の少なくとも６０ｍｏｌ％がカルボキシル基に酸化されており、酸化マルトデキストリン中のＣ２およびＣ３炭素の３０ｍｏｌ％未満がカルボキシル基に酸化されている。最も好ましくは、本発明の無水混合粉末または混合顆粒は、酸化マルトデキストリンを含み、酸化マルトデキストリンは、定量的１３Ｃ  ＮＭＲを使用して測定した０．４〜１．７（好ましくは０．４５〜１．５）の酸化度（ＤＯ）を有し、酸化度（ＤＯ）は、カルボキシル基に酸化されたＣ６、Ｃ３およびＣ２位での酸化マルトデキストリン中のヒドロキシル基の平均数であり、酸化マルトデキストリンは、２，５００〜６，０００ダルトンの重量平均分子量を有し、酸化マルトデキストリン中のＣ６炭素の少なくとも６０ｍｏｌ％がカルボキシル基に酸化されており、酸化マルトデキストリン中のＣ２およびＣ３炭素の３０ｍｏｌ％未満がカルボキシル基に酸化されており、酸化マルトデキストリンは、０．０００１重量％以上（好ましくは０．０００１〜０．００１重量％）の２，２，６，６−テトラメチルピペリジニルオキシまたは２，２，６，６−テトラメチルピペリジン−１−オキシル）のうちの少なくとも１つを含む。
【００１５】
好ましくは、本発明の無水混合粉末または混合顆粒は、１〜１０重量％の酸化マルトデキストリンを含む。より好ましくは、本発明の無水混合粉末または混合顆粒は、２〜７．５重量％の酸化マルトデキストリンを含む。さらにより好ましくは、本発明の無水混合粉末または混合顆粒は、２．５〜５重量％の酸化マルトデキストリンを含む。最も好ましくは、本発明の無水混合粉末または混合顆粒は、３〜４重量％の酸化マルトデキストリンを含む。
【００１６】
好ましくは、本発明の無水混合粉末または混合顆粒は、１０〜６０重量％（好ましくは１０〜５０重量％、より好ましくは１０〜２５重量％、最も好ましくは１０〜１５重量％）のアミノ酸ベースのビルダーを含む。より好ましくは、本発明の無水混合粉末または混合顆粒は、１０〜６０重量％（好ましくは１０〜５０重量％、より好ましくは１０〜２５重量％、最も好ましくは１０〜１５重量％）のアミノ酸ベースのビルダーを含み、アミノ酸ベースのビルダーは、ニトリロ三酢酸、エチレンジアミン四酢酸、ジエチレントリアミン五酢酸、グリシン−Ｎ、Ｎ−二酢酸、メチルグリシン−Ｎ、Ｎ−二酢酸、２−ヒドロキシエチルイミノ二酢酸、グルタミン酸−Ｎ、Ｎ−二酢酸、３−ヒドロキシ−２，２’−イミノジコハク酸塩、Ｓ、Ｓ−エチレンジアミンジコハク酸アスパラギン酸−二酢酸、Ｎ、Ｎ’−エチレンジアミンジコハク酸、イミノジコハク酸、アスパラギン酸、アスパラギン酸−Ｎ、Ｎ−二酢酸、β−アラニン二酢酸、ポリアスパラギン酸、それらの塩およびそれらの混合物からなる群から選択される。さらにより好ましくは、本発明の無水混合粉末または混合顆粒は、１０〜６０重量％（好ましくは１０〜５０重量％、より好ましくは１０〜２５重量％、最も好ましくは１０〜１５重量％）のアミノ酸ベースを含み、アミノ酸ベースのビルダーは、メチルグリシン二酢酸およびその塩のうちの少なくとも１つを含む。最も好ましくは、本発明の無水混合粉末または混合顆粒は、１０〜６０重量％（好ましくは１０〜５０重量％、より好ましくは１０〜２５重量％、最も好ましくは１０〜１５重量％）のアミノ酸ベースのビルダーを含み、アミノ酸ベースのビルダーは、メチルグリシン二酢酸、その塩およびそれらの混合物からなる群から選択される。
【００１７】
好ましくは、本発明の無水混合粉末または混合顆粒は、１〜８７．７重量％（好ましくは≧１重量％、より好ましくは≧１０重量％、さらにより好ましくは≧２０重量％、最も好ましくは≧２５重量％、好ましくは≦８５重量％、より好ましくは≦８０重量％、さらにより好ましくは≦７５重量％、最も好ましくは≦７０重量％）の追加のビルダーを含む。より好ましくは、本発明の無水混合粉末または混合顆粒は、１〜８７．７重量％（好ましくは≧１重量％、より好ましくは≧１０重量％、さらにより好ましくは≧２０重量％、最も好ましくは≧２５重量％、好ましくは≦８５重量％、より好ましくは≦８０重量％、さらにより好ましくは≦７５重量％、最も好ましくは≦７０重量％）の追加のビルダーを含み、追加のビルダーは、炭酸塩ビルダー、クエン酸塩ビルダー、ケイ酸塩ビルダーおよびそれらの混合物からなる群から選択される。さらにより好ましくは、好ましくは、本発明の無水混合粉末または混合顆粒は、１〜８７．７重量％（好ましくは≧１重量％、より好ましくは≧１０重量％、さらにより好ましくは≧２０重量％、最も好ましくは≧２５重量％、好ましくは≦８５重量％、より好ましくは≦８０重量％、さらにより好ましくは≦７５重量％、最も好ましくは≦７０重量％）の追加のビルダーを含み、追加のビルダーは、炭酸塩ビルダーおよびクエン酸塩ビルダーのうちの少なくとも１つを含む。さらにより好ましくは、好ましくは、本発明の無水混合粉末または混合顆粒は、１〜８７．７重量％（好ましくは≧１重量％、より好ましくは≧１０重量％、さらにより好ましくは≧２０重量％、最も好ましくは≧２５重量％、好ましくは≦８５重量％、より好ましくは≦８０重量％、さらにより好ましくは≦７５重量％、最も好ましくは≦７０重量％）の追加のビルダーを含み、追加のビルダーは、クエン酸ナトリウム、炭酸ナトリウム、過炭酸ナトリウムのうちの少なくとも１つを含む。最も好ましくは、好ましくは、本発明の無水混合粉末または混合顆粒は、１〜８７．７重量％（好ましくは≧１重量％、より好ましくは≧１０重量％、さらにより好ましくは≧２０重量％、最も好ましくは≧２５重量％、好ましくは≦８５重量％、より好ましくは≦８０重量％、さらにより好ましくは≦７５重量％、最も好ましくは≦７０重量％）の追加のビルダーを含み、追加のビルダーは、クエン酸ナトリウム、炭酸ナトリウムおよび過炭酸ナトリウムの混合物を含む。炭酸塩、クエン酸およびケイ酸塩の重量百分率は、金属イオンを含む塩の実重量に基づく。
【００１８】
本明細書および添付の特許請求の範囲で用いられる「炭酸塩（複数可）」という用語は、炭酸塩、重炭酸塩、過炭酸塩、および／またはセスキ炭酸塩のアルカリ金属またはアンモニウム塩を指す。好ましくは、本発明の無水混合粉末または混合顆粒に使用される炭酸塩（存在する場合には）は、ナトリウム、カリウムおよびリチウムの炭酸塩（より好ましくはナトリウム塩またはカリウム塩、最も好ましくはナトリウム塩）からなる群から選択される。本発明の無水混合粉末または混合顆粒に使用される過炭酸塩（存在する場合には）は、ナトリウム、カリウム、リチウムおよびアンモニウムの塩（より好ましくはナトリウム塩またはカリウム塩、最も好ましくはナトリウム塩）からなる群から選択される。最も好ましくは、本発明の無水混合粉末または混合顆粒に使用される炭酸塩（存在する場合には）は、炭酸ナトリウム、重炭酸ナトリウム、過炭酸ナトリウム、およびこれらの混合物からなる群から選択される。
【００１９】
本明細書および添付の特許請求の範囲で用いられる「クエン酸」という用語は、アルカリ金属クエン酸塩を指す。好ましくは、本発明の無水混合粉末または混合顆粒に使用されるクエン酸塩（存在する場合には）は、ナトリウム、カリウム、およびリチウムのクエン塩（より好ましくはナトリウムまたはカリウムの塩、最も好ましくはナトリウムの塩）からなる群から選択される。より好ましくは、本発明の無水混合粉末または混合顆粒に使用されるクエン酸塩（存在する場合には）は、クエン酸ナトリウムである。
【００２０】
本明細書および添付の特許請求の範囲で用いられる「ケイ酸塩（複数可）」という用語は、アルカリ金属ケイ酸塩を指す。好しくは、本発明の無水混合粉末または混合顆粒に使用されるケイ酸塩（存在する場合には）は、ナトリウム、カリウム、およびリチウムのケイ酸塩（より好ましくはナトリウムまたはカリウムの塩、最も好ましくはナトリウムの塩）からなる群から選択される。より好ましくは、本発明の無水混合粉末または混合顆粒に使用されるケイ酸塩（存在する場合には）は、二ケイ酸ナトリウムである。好ましくは、本発明の無水混合粉末または混合顆粒に使用される追加のビルダーは、ケイ酸塩を含む。好ましくは、本発明の無水混合粉末または混合顆粒に使用されるビルダーがケイ酸塩を含む場合、無水混合粉末または混合顆粒は好ましくは、０〜１０重量％（好ましくは０．１〜５重量％、より好ましくは０．５〜３重量％、最も好ましくは０．７５〜２．５重量％）のケイ酸塩（複数可）を含む。
【００２１】
好ましくは、本発明の無水混合粉末または混合顆粒は、漂白活性剤を含む。より好ましくは、本発明の無水混合粉末または混合顆粒は、漂白活性剤を含み、漂白活性剤は、テトラアセチルエチレンジアミン（ＴＡＥＤ）を含む。最も好ましくは、本発明の無水混合粉末または混合顆粒は、漂白活性剤を含み、漂白活性剤は、テトラアセチルエチレンジアミン（ＴＡＥＤ）である。
【００２２】
好ましくは、本発明の無水混合粉末または混合顆粒は、１〜１０重量％（好ましくは２．５〜７．５重量％）の漂白活性剤を含む。より好ましくは、本発明の無水混合粉末または混合顆粒は、１〜１０重量％（好ましくは２．５〜７．５重量％）の漂白活性剤を含み、漂白活性剤は、テトラアセチルエチレンジアミン（ＴＡＥＤ）を含む。最も好ましくは、本発明の無水混合粉末または混合顆粒は、１〜１０重量％（好ましくは２．５〜７．５重量％）の漂白活性剤を含み、漂白活性剤は、テトラアセチルエチレンジアミン（ＴＡＥＤ）である。
【００２３】
好ましくは、本発明の無水混合粉末または混合顆粒は、界面活性剤を含む。好ましくは、本発明の無水混合粉末または混合顆粒は、０．２〜１５重量％（好ましくは０．５〜１０重量％、より好ましくは１．５〜７．５重量％）の界面活性剤を含む。さらにより好ましくは、本発明の無水混合粉末または混合顆粒は、０．２〜１５重量％（好ましくは０．５〜１０重量％、より好ましくは１．５〜７．５重量％）の界面活性剤を含み、界面活性剤は、非イオン性界面活性剤を含む。最も好ましくは、本発明の無水混合粉末または混合顆粒は、０．２〜１５重量％（好ましくは０．５〜１０重量％、より好ましくは１．５〜７．５重量％）の界面活性剤を含み、界面活性剤は、非イオン性界面活性剤を含み、非イオン性界面活性剤は、脂肪アルコールアルコキシレートである。
【００２４】
好ましくは、本発明の無水混合粉末または混合顆粒に使用される界面活性剤は、以下から選択される式を有する非イオン性界面活性剤である。
ＲＯ−（Ｍ）ｘ−（Ｎ）ｙ−ＯＨ、および
ＲＯ−（Ｍ）ｘ−（Ｎ）ｙ−（Ｐ）ｚ−ＯＨ
式中、Ｍはエチレンオキシドの構造単位を表し、ＮはＣ３〜１８の１，２−エポキシアルカンの構造単位を表し、ＰはＣ６〜１８のアキルグリシジルエーテルの構造単位を表し、ｘは５〜４０であり、ｙは０〜２０であり、ｚは０〜３であり、ＲはＣ６〜２２の直鎖または分岐鎖アルキル基を表す。
【００２５】
好ましくは、本発明の無水混合粉末または混合顆粒に使用される界面活性剤は、以下から選択される式を有する非イオン性界面活性剤である。
ＲＯ−（Ｍ）ｘ−（Ｎ）ｙ−ＯＨ、および
ＲＯ−（Ｍ）ｘ−（Ｎ）ｙ−Ｏ−Ｒ’
式中、ＭおよびＮは、アルキレンオキシド（そのうちの１つは、エチレンオキシドである）から誘導される構造単位であり、ｘは５〜４０であり、ｙは０〜２０であり、Ｒは、Ｃ６〜２２の直鎖または分岐鎖アルキル基を表し、Ｒ’は、アルコール前駆体と、Ｃ６〜２２の直鎖もしくは分岐鎖ハロゲン化アルキル、エポキシアルカン、またはグリシジルエーテルの反応から誘導される基を表す。
【００２６】
好ましくは、本発明の無水混合粉末または混合顆粒に使用される界面活性剤は、次式を有する非イオン性界面活性剤である。
ＲＯ−（Ｍ）ｘ−ＯＨ
式中、Ｍはエチレンオキシドの構造単位を表し、ｘは少なくとも３（好ましくは少なくとも５、好ましくは１０以下、より好ましくは８以下）である。好ましくは、式中、ＲおよびＲ’はそれぞれ少なくとも８個（より好ましくは少なくとも１０個）の炭素原子を有する。
【００２７】
好ましくは、本発明の無水混合粉末または混合顆粒は、０．１〜７重量％（好ましくは０．２５〜５重量％、より好ましくは０．４５〜２．５重量％、最も好ましくは０．５〜１．０重量％）のホスホン酸塩を含む。より好ましくは、本発明の無水混合粉末または混合顆粒は、０．１〜７重量％（好ましくは０．２５〜５重量％、より好ましくは０．４５〜２．５重量％、最も好ましくは０．５〜１．０重量％）のホスホン酸塩を含み、ホスホン酸塩は、１，０００ダルトン未満の分子量を有する。さらにより好ましくは、本発明の無水混合粉末または混合顆粒は、０．１〜７重量％（好ましくは０．２５〜５重量％、より好ましくは０．４５〜２．５重量％、最も好ましくは０．５〜１．０重量％）のホスホン酸塩を含み、ホスホン酸塩は、１−ヒドロキシエチリデン−１，１−ジホスホン酸（ＨＥＤＰ）およびその塩のうちの少なくとも１つを含む。最も好ましくは、本発明の無水混合粉末または混合顆粒は、０．１〜７重量％（好ましくは０．２５〜５重量％、より好ましくは０．４５〜２．５重量％、最も好ましくは０．５〜１．０重量％）のホスホン酸塩を含み、ホスホン酸塩は、１−ヒドロキシエチリデン−１，１−ジホスホン酸（ＨＥＤＰ）、それらの塩、およびそれらの混合物からなる群から選択される。
【００２８】
好ましくは、本発明の無水混合粉末または混合顆粒は、酵素を含む。より好ましくは、本発明の無水混合粉末または混合顆粒は、酵素を含み、酵素は、プロテアーゼ、アミラーゼ、リパーゼ、セルラーゼおよびそれらの混合物からなる群から選択される。さらにより好ましくは、本発明の無水混合粉末または混合顆粒は、酵素を含み、酵素は、プロテアーゼ、アミラーゼおよびそれらの混合物からなる群から選択される。最も好ましくは、本発明の無水混合粉末または混合顆粒は、酵素を含み、酵素は、プロテアーゼとアミラーゼの混合物を含む。
【００２９】
好ましくは、本発明の無水混合粉末または混合顆粒は、１〜６重量％（好ましくは２〜４重量％）の酵素を含む。より好ましくは、本発明の無水混合粉末または混合顆粒は、１〜６重量％（好ましくは２〜４重量％）の酵素を含み、酵素は、プロテアーゼ、アミラーゼ、リパーゼ、セルラーゼおよびそれらの混合物からなる群から選択される。さらにより好ましくは、本発明の無水混合粉末または混合顆粒は、１〜６重量％（好ましくは２〜４重量％）の酵素を含み、酵素は、プロテアーゼ、アミラーゼおよびそれらの混合物からなる群から選択される。最も好ましくは、本発明の無水混合粉末または混合顆粒は、１〜６重量％（好ましくは、２〜４重量％）の酵素を含み、酵素は、プロテアーゼとアミラーゼの混合物を含む。
【００３０】
好ましくは、本発明の無水混合粉末または混合顆粒は、０〜７５重量％（好ましくは１〜２５重量％、より好ましくは５〜１５重量％、さらにより好ましくは７．５〜１２重量％、最も好ましくは８〜１０重量％）（９重量％）の充填剤を含む。より好ましくは、本発明の無水混合粉末または混合顆粒は、０〜７５重量％（好ましくは１〜２５重量％、より好ましくは５〜１５重量％、さらにより好ましくは７．５〜１２重量％、最も好ましくは８〜１０重量％）の充填剤を含み、充填剤は、不活性物質、水溶性物質からなる群から選択される。さらにより好ましくは、本発明の無水混合粉末または混合顆粒は、０〜７５重量％（好ましくは１〜２５重量％、より好ましくは５〜１５重量％、さらにより好ましくは７．５〜１２重量％、最も好ましくは８〜１０重量％）の充填剤を含み、充填剤は、硫酸ナトリウム、硫酸カリウム、塩化ナトリウム、塩化カリウムおよびそれらの混合物からなる群から選択される。さらにより好ましくは、本発明の無水混合粉末または混合顆粒は、０〜７５重量％（好ましくは１〜２５重量％、より好ましくは５〜１５重量％、さらにより好ましくは７．５〜１２重量％、最も好ましくは８〜１０重量％）の充填剤を含み、充填剤は硫酸ナトリウムを含む。最も好ましくは、本発明の無水混合粉末または混合顆粒は、０〜７５重量％（好ましくは１〜２５重量％、より好ましくは５〜１５重量％、さらにより好ましくは７．５〜１２重量％、最も好ましくは８〜１０重量％）の充填剤を含み、充填剤は硫酸ナトリウムである。
【００３１】
好ましくは、本発明の無水混合粉末または混合顆粒は、１重量％未満の水を含む。より好ましくは、本発明の無水混合粉末または混合顆粒は、＜０．５重量％未満の水を含む。最も好ましくは、本発明の無水混合粉末または混合顆粒は、＜０．１重量％未満の水を含む。
【００３２】
本発明の無水混合粉末または混合顆粒は、任意選択で添加剤をさらに含む。好ましくは、本発明の無水混合粉末または混合顆粒は、アルカリ源、漂白剤（例えば、過炭酸ナトリウム、過ホウ酸ナトリウム）、漂白触媒（例えば、酢酸マンガン（ＩＩ）、塩化コバルト（ＩＩ）、ビス（ＴＡＣＮ）マグネシウムトリオキシドジアセテート）、発泡抑制剤、着色剤、芳香剤、ケイ酸塩、追加のビルダー、抗菌剤、充填剤、堆積物制御ポリマーおよびこれらの混合物からなる群から選択される添加剤をさらに含む。より好ましくは、本発明の無水混合粉末または混合顆粒は、添加剤をさらに含み、添加剤は、漂白剤（例えば、過炭酸ナトリウム、過ホウ酸ナトリウム）を含む。最も好ましくは、本発明の無水混合粉末または混合顆粒は、添加剤をさらに含み、添加剤は漂白剤を含み、漂白剤は過炭酸ナトリウムを含む。
【００３３】
本発明の無水混合粉末または混合顆粒は、任意選択でアルカリ源をさらに含む。好適なアルカリ源は、アルカリ金属炭酸塩およびアルカリ金属水酸化物、例えば炭酸ナトリウムまたは炭酸カリウム、重炭酸塩、セスキ炭酸塩、水酸化ナトリウム、水酸化リチウムもしくは水酸化カリウム、または上記混合物を含むがこれらに限定されない。水酸化ナトリウムが好ましい。本発明の無水混合粉末または混合顆粒中のアルカリ源の量（存在する場合には）は、少なくとも１重量％（好ましくは少なくとも２０重量％）および最大８０重量％（好ましくは最大６０重量％）である。
【００３４】
本発明の無水混合粉末または混合顆粒は、任意選択で、漂白剤（例えば、過炭酸ナトリウム）をさらに含む。本発明の無水混合粉末または混合顆粒中の漂白剤の量（存在する場合には）は、好ましくは１〜２５重量％（より好ましくは５〜２０重量％）の濃度である。
【００３５】
本発明の無水混合粉末または混合顆粒は、任意選択で、自動食器洗浄装置内の不溶性堆積物を制御するのに有用な堆積物制御ポリマーをさらに含む。好ましい堆積物制御ポリマーには、アクリル酸、メタクリル酸、二酸モノマー（例えば、マレイン酸）、アクリル酸エステルまたはメタクリル酸エステル（例えば、ポリエチレングリコールエステル）、スチレン、スルホン化モノマー（例えば、ＡＭＰＳ）、置換アクリルアミドおよび置換メタクリルアミドのうちの少なくとも１つの構造単位の組み合わせを含むポリマーが挙げられる。
【００３６】
好ましくは、本発明の無水混合粉末または混合顆粒は、≦１重量％（好ましくは≦０．５重量％、より好ましくは≦０．２重量％、さらに好ましくは≦０．１重量％、特に好ましくは≦０．０１重量％、最も好ましくは検出限界値未満）のリン酸塩（リン元素として測定される）を含む。好ましくは、本発明の無水混合粉末または混合顆粒は、リン酸塩を含まない。
【００３７】
好ましくは、本発明の無水混合粉末または混合顆粒は、少なくとも９（好ましくは≧１０、より好ましくは≧１１．５）のｐＨ値（水中１重量％で）を有する。好ましくは、本発明の無水混合粉末または混合顆粒は、１３以下のｐＨ値（水中１重量％で）を有する。
【００３８】
好ましくは、本発明の無水混合粉末または混合顆粒は、一般的な操作条件下での使用に適している。例えば、自動食器洗浄機で使用されるとき、洗浄過程中の通常の水温は、好ましくは２０℃〜８５℃、好ましくは３０℃〜７０℃である。
【００３９】
好ましくは、本発明のガラス製品を洗浄する方法は、自動食器洗浄装置を提供することと、汚れたガラス製品を提供することと、汚れたガラス製品を自動食器洗浄装置に入れることと、洗浄水を提供することと、すすぎ水を提供することと、本発明による無水混合粉末または混合顆粒を選択することと、選択された無水混合粉末または混合顆粒を自動食器洗浄装置に入れることと、選択された無水混合粉末または混合顆粒を洗浄水と接触させて、混合物を形成することと、汚れたガラス製品を混合物と接触させて、処理されたガラス製品を提供することと、次いで、処理されたガラス製品をすすぎ水と接触させて、洗浄されたガラス製品を提供することと、を含む。
【００４０】
ここで本発明のいくつかの実施形態を以下の実施例において詳細に説明する。
【００４１】
実施例Ｓ１：酸化マルトデキストリンの合成
丸底フラスコに６０ｍＬの脱イオン水、１０．０ｇのマルトデキストリン（デキストロース当量（ＤＥ）１６．５〜１９．５）、０．９５ｇの臭化ナトリウム、および０．０９６ｇの２，２，６，６−テトラメチルピペリジン−１−オキシル（ＴＥＭＰＯ）を加えた。フラスコを氷浴に入れて、フラスコの内容物を約４℃に冷却し、次亜塩素酸ナトリウム溶液（８４ｍＬ、１３％水溶液）を冷却したフラスコの内容物に３０分かけて添加し、２ＭのＮａＯＨ溶液を添加してｐＨを９．５に維持した。氷浴が溶けると、フラスコの内容物を徐々に室温まで温め、計２４時間後、勢いよく攪拌しながら５００ｍＬのＥｔＯＨを添加して生成物を沈殿させた。沈殿物を沈降させ、デカントして液体を除去した。さらに２００ｍＬのＥｔＯＨを沈殿物に添加し、デカントして除去した。固形物を真空下で４０°で乾燥させた。
【００４２】
実施例Ｓ２：酸化マルトデキストリンの合成
丸底ガラスフラスコに、６０ｇの脱イオン水、１０ｇのマルトデキストリン（デキストロース当量（ＤＥ）４〜７）、０．９４７ｇの臭化ナトリウムおよび０．０９８ｇの２，２，６，６−テトラメチルピペリジニルオキシまたは２、２，６，６−テトラメチルピペリジン−１−オキシル（ＴＥＭＰＯ）を加えた。次いで、フラスコの内容物に１．５ＭのＮａＯＨを添加して、ｐＨを９．５に調整した。次いで、フラスコの内容物を混合し、フラスコを氷浴に入れて、約４℃まで冷却した。次亜塩素酸ナトリウム溶液（７６ｍＬ、１３％水溶液）のｐＨを５％ＨＣｌ溶液で９．５に調整し、次いで攪拌しながら２ｍＬ／分で、冷却したフラスコの内容物に添加した。この溶液に１．５ＭのＮａＯＨ溶液を添加して、ｐＨを９．３〜９．７に維持した。次亜塩素酸ナトリウム溶液を添加した後、氷浴が溶けると、フラスコの内容物を徐々に室温まで温め、２４時間後に、勢いよく撹拌しながら３５０ｍＬのエタノールを添加して、フラスコの内容物から生成物を沈殿させた。沈殿物を沈降させ、液体をフラスコからデカントした。粘着性の沈殿物を内壁からこすり取って、５０ｍＬのエタノールに再懸濁し、微細懸濁液が得られるまで勢いよく撹拌した。固体を沈降させ、デカントして液体を除去した。次に、固形物を窒素流下で、室温で乾燥させて、酸化マルトデキストリン生成物を得た。
【００４３】
実施例Ｓ３：酸化マルトデキストリンの合成
丸底ガラスフラスコに、２２０ｇの脱イオン水、３７ｇのマルトデキストリン（デキストロース当量（ＤＥ）１６．５〜１９．５）、３．５０２ｇの臭化ナトリウム、および０．３５５ｇの２，２，６，６−テトラメチルピペリジニルオキシまたは２、２，６，６−テトラメチルピペリジン−１−オキシル（ＴＥＭＰＯ）を加えた。次いで、フラスコ内容物に１．５ＭのＮａＯＨを添加して、ｐＨを９．５に調整した。次いで、フラスコの内容物を混合し、フラスコを氷浴に入れて、約４℃まで冷却した。次亜塩素酸ナトリウム溶液（２４８ｍＬ、１３％水溶液）のｐＨを５％ＨＣｌ溶液で９．５に調整し、次いで撹拌しながら２ｍＬ／分で、冷却したフラスコの内容物に添加した。この溶液に１．５ＭのＮａＯＨ溶液を添加して、ｐＨを９．３〜９．７に維持した。次亜塩素酸ナトリウム溶液を添加した後、氷浴が溶けると、フラスコの内容物を徐々に室温まで温め、２４時間後、勢いよく攪拌しながら１．４Ｌのエタノールを添加して、フラスコの内容物から生成物を沈殿させた。沈殿物を沈降させ、液体をフラスコからデカントした。沈殿物を１５０ｍＬのエタノールに再懸濁し、微細懸濁液が得られるまで勢いよく攪拌した。固体を沈降させ、デカントして液体を除去した。次いで、固形物を窒素流下で、室温で乾燥させて、酸化マルトデキストリン生成物を得た。
【００４４】
実施例Ｓ４：酸化マルトデキストリンの合成
丸底ガラスフラスコに、３６０ｇの脱イオン水、６０ｇのマルトデキストリン（デキストロース当量（ＤＥ）１６．５〜１９．５）、５．６８ｇの臭化ナトリウムおよび０．５８ｇの２，２，６，６−テトラメチルピペリジニルオキシまたは２、２，６，６−テトラメチルピペリジン−１−オキシル（ＴＥＭＰＯ）を加えた。次いで、フラスコ内容物に１．５ＭのＮａＯＨを添加して、ｐＨを９．５に調整した。次いで、フラスコの内容物を混合し、フラスコを氷浴に入れて、約〜４℃まで冷却した。次亜塩素酸ナトリウム溶液（４１４ｍＬ、１３％水溶液）のｐＨを５％ＨＣｌ溶液で９．５に調整し、次いで撹拌しながら４ｍＬ／分で、冷却したフラスコの内容物に添加した。この溶液に１．５ＭのＮａＯＨ溶液を添加して、ｐＨを９．３〜９．７に維持した。次亜塩素酸ナトリウム溶液を添加した後、氷浴が溶けると、フラスコの内容物を徐々に室温まで温め、２４時間後、勢いよく攪拌しながら２．０Ｌのエタノールを添加して、フラスコの内容物から生成物を沈殿させた。沈殿物を沈降させ、液体をフラスコからデカントした。粘着性の沈殿物を内壁からこすり取って、２００ｍＬのエタノールに再懸濁し、微細懸濁液が得られるまで勢いよく撹拌した。固体を沈降させ、デカントして液体を除去した。次いで、固形物を窒素流下で、室温で乾燥させて、酸化マルトデキストリン生成物を得た。
【００４５】
酸化マルトデキストリンの特性評価
定量１３Ｃ  ＮＭＲを使用して、実施例Ｓ１〜Ｓ４のそれぞれに従って調製した酸化マルトデキストリンの酸化度（ＤＯ）およびｍｏｌ％酸化を測定し、表１に報告する。具体的には、酸化マルトデキストリンのサンプル０．３ｇを、室温で１０ｍｍのＮＭＲチューブ中の重水（Ｄ２Ｏ）２．５ｍＬに溶解した。逆ゲート１３Ｃ  ＮＭＲ実験を、１０ｍｍＣ／Ｈ低温プローブを備えたＢｒｕｋｅｒ  Ａｖａｎｃｅ  ＩＩ  ＮＭＲ分光計で、９０°単一パルスを使用して室温で行なった。緩和時間を３０秒に設定し、各スペクトルについてデータの４，０００スキャンを取得した。３つのグループのピークを統合した：Ｉａは、酸化の総量である１８０〜１７０ｐｐｍの化学シフト範囲内のカルボニル信号の強度であり、Ｉｂは、未反応の炭素６の強度である。統合される正確なピークは、ＤＥＰＴ−１３５  ＮＭＲ実験で決定し、通常、５８〜６４ｐｐｍの化学シフト範囲内である。Ｉｃは、化学シフトが１８０〜５８ｐｐｍのマルトデキストリンのすべての炭素の総強度である。次の等式を使用して、酸化のＤＯおよびｍｏｌ％を算出した。
ＤＯ＝（６＊Ｉａ）／Ｉｃ
Ｃ６のｍｏｌ％酸化＝｛１−［（６＊Ｉｂ）／Ｉｃ｝｝＊１００％
Ｃ２、Ｃ３のｍｏｌ％酸化＝｛［３＊（Ｉａ＋Ｉｂ）／Ｉｃ］−０．５｝＊１００％
【表１】
2021526166.tif 000003
【００４６】
食品汚れを調製する手順
表２に記載の修正ＳＴＩＷＡ食品汚れは、以下の手順により調製した。
ａ）水を沸騰させる。
ｂ）紙コップ中でインスタントグレービー、安息香酸、デンプンを混合し、次いでこの混合物を沸騰水に加える。
ｃ）（ｂ）の生成物にミルクとマーガリンを加える。
ｄ）（ｃ）の生成物を約４０℃まで冷却し、次いで混合物をキッチンミキサー（Ｐｏｌｙｔｒｏｎ）に入れる。
ｅ）別の紙コップ中で、卵黄、ケチャップ、マスタードを混ぜ合わせ、スプーンで混合する。
ｆ）（ｅ）の生成物をブレンダー内の（ｄ）の混合物に連続的に撹拌しながら加える。
ｇ）（ｆ）の生成物をブレンダーで５分間撹拌する。
ｈ）７からの生成物である食品汚れ混合物を凍結する。
ｉ）凍結スラッシュを、以下に示す時点で食器洗浄装置に入れる。
【表２】
2021526166.tif 000004
【００４７】
比較例ＤＣ１〜ＤＣ３および実施例Ｄ１〜Ｄ２：食器洗浄用組成物
表３に特定された成分配合物を有する比較例ＤＣ１〜ＤＣ３および実施例Ｄ１〜Ｄ２のそれぞれにおいて食器洗浄用組成物を調製した。成分配合物のそれぞれで使用されたプロテアーゼは、Ｎｏｖｏｚｙｍｅｓから入手可能なＳａｖｉｎａｓｅ（登録商標）１２Ｔプロテアーゼであった。成分配合物のそれぞれで使用されたアミラーゼは、Ｎｏｖｏｚｙｍｅｓから入手可能なＳｔａｉｎｚｙｍｅ（登録商標）１２Ｔアミラーゼであった。
【表３】
2021526166.tif 000005
【００４８】
食器洗浄試験の条件
機械：Ｍｉｅｌｅ  ＳＳ−ＡＤＷ、モデルＧ１２２２ＳＣ  Ｌａｂｏｒ。プログラム：８分間にわたる加熱洗浄による６０℃洗浄サイクル１回、ファジィ論理解除、加熱乾燥。水：３７５ｐｐｍの硬度（ＣａＣＯ３として、ＥＤＴＡ滴定で確認）、Ｃａ：Ｍｇ＝３：１。食品汚れ：表２に記述された５０ｇの組成物を、コップ中でｔ＝１５分間凍結した洗浄液に導入した。比較例ＤＣ１〜ＤＣ３および実施例Ｄ１〜Ｄ２からの各食器洗浄用組成物を、１回の洗浄につき２０ｇを添加し、試験した。
【００４９】
膜形成およびしみ形成の評価
上記の食器洗浄試験条件下で１５回の洗浄サイクルの後、ガラスタンブラーを外気で乾燥させた。外気で乾燥させた後、訓練を受けた評価者が、下からの制御照明を備えたライトボックス内のガラスタンブラーを観察して、膜形成の評点を判定した。ガラスタンブラーを、ＡＳＴＭ法に従って、１（膜なし）から５（かなりの膜形成）までの範囲で、膜形成およびしみ形成について評価した。膜形成についての平均値１〜５を各ガラスタンブラーについて判定し、表４に報告する。
【表４】
2021526166.tif 000006
【国際調査報告】
2021526166.tif 000007
2021526166.tif 000008
2021526166.tif 000009